(57)【要約】【課題】  遊技機の背面側のスペースを有効に利用可能な遊技機の提供を課題とする。【解決手段】  本発明によれば、パチンコ遊技機１０の前面側に前面通路３０を配設することにより、払い出し通路をパチンコ遊技機１０の背面側に形成しないようにすることができる。これにより、パチンコ遊技機１０の背面側のスペースを広く確保することができ、より多くの機構部材をパチンコ遊技機１０の背面側に配設することが可能となる。さらに、前面通路３０の内部を開放することができるため、前面通路３０の清掃を容易に行うことができる。従って、汚染された前面通路３０がパチンコ遊技機１０の見栄えを悪くさせることもない。【選択図】  図１６
2006087567.tif 000002
【特許請求の範囲】
【請求項１】
本体部の上部に外部装置から遊技球が供給される供給部を備える遊技機において、
上記供給部から遊技球が案内される通路の少なくとも一部を構成する前面通路を上記本体部の前面側において内部を開放可能に形成したことを特徴とする遊技機。
【請求項２】
上記前面通路は上記本体部から前方に離れた位置に突設されることを特徴とする請求項１に記載の遊技機。
【請求項３】
上記前面通路は上記本体部に密着させられることを特徴とする請求項１に記載の遊技機。
【発明の詳細な説明】
【技術分野】
【０００１】
本発明は、上部に外部装置から遊技球が供給される供給部を備える遊技機に関する。
【背景技術】
【０００２】
従来、この種の遊技機として、遊技機の背面側に遊技球の払い出し通路を形成したものが知られている。（例えば、特許文献１、図２、参照。）。
かかる構成によれば、払い出し通路中に払い出し装置が備えられるため、タンクに貯留された遊技球のうち指定された数量だけを払い出すことが可能であった。払い出された遊技球は前面側に案内されて、遊技に使用される。
【特許文献１】特開２００４−０７３７１９号公報
【発明の開示】
【発明が解決しようとする課題】
【０００３】
上述した従来の遊技機において、払い出し通路を遊技機の背面側に備えることにより、遊技機の背面側における各基板等の設置スペースが限定されるという課題があった。この課題に対して、払い出し通路を本体部の前面側に配置することにより背面側における各基板等の設置スペースを確保することも提案されたが、払い出し通路は多数の遊技球の接触によって汚れやすく、遊技機の見栄えを悪くさせるという問題があった。
本発明は、上記課題にかんがみてなされたもので、遊技機の背面側のスペースを有効に利用可能、かつ、見栄えが良好な遊技機の提供を目的とする。
【課題を解決するための手段】
【０００４】
上記目的を達成するため、請求項１にかかる発明では、本体部の上部に外部装置から遊技球が供給される供給部を備える遊技機において、
上記供給部から遊技球が案内される通路の少なくとも一部を構成する前面通路を上記本体部の前面側において内部を開放可能に形成した構成としてある。
【０００５】
上記のように構成した請求項１の発明において、供給部が遊技機における本体部の上部に備えられ、同供給部に対して外部装置から遊技球が供給される。上記供給部から遊技球が案内される通路の少なくとも一部を構成する前面通路は、上記遊技機の前面側に形成される。これにより、上記本体部の背面側のスペースを確保することが可能となる。上記前面通路は内部が開放可能に形成されるため、同内部を開放させて清掃を行うことができる。従って、遊技者に目立ちやすい上記本体部の前面側に配設された前面通路が上記遊技機の見栄えを悪くすることを防止することができる。
【０００６】
さらに、上記前面通路が配設される態様の一例として、請求項２にかかる発明は、上記前面通路は上記本体部から前方に離れた位置に突設される構成としてある。
上記のように構成した請求項２の発明において、上記前面通路が上記本体部から前方に離れた位置に突設されるため、上記前面通路と上記本体部との間に電装部材や装飾部材等の各種構造物を配設することができる。また、上記前面通路を前面側の遊技者に対して目立たせることができる。
【０００７】
さらに、上記前面通路が配設される態様の別の一例として、請求項３にかかる発明は、上記前面通路は上記本体部に密着させられる構成としてある。
上記のように構成した請求項３の発明において、上記前面通路が上記本体部に密着させられるため、同前面通路を同本体部に沿わせて上記遊技機をコンパクトに形成することができる。また、上記前面通路を上記本体部に密着させることにより、同前面通路の露出量を抑えることができるため、同前面通路に対する不正を防止することができる。  本発明は、上記の構成に限られるものではなく、以下の手段も含むものである。
【０００８】
手段１
手段１にかかる発明は、請求項１に記載した発明において、上記前面通路は透光性を有する素材によって形成される構成としてある。
すなわち、上記前面通路を透光性を有する素材によって形成することにより、同前面通路の内部を流通する遊技球の様子を視認することができる。
【０００９】
手段２
手段２にかかる発明は、請求項１または手段１のいずれかに記載した発明において、上記前面通路は相対移動が可能に連結された複数の通路部材によって構成されるとともに、一の上記通路部材を他の上記記通路部材に対して移動させることにより、上記前面通路の内部が開放される構成としてある。
すなわち、相対移動が可能に連結された複数の通路部材によって上記前面通路が構成される。そして、一の上記通路部材を他の上記記通路部材に対して移動させることによって、上記前面通路の内部を開放することができる。すなわち、複数の上記通路部材が合体することにより形成されていた上記前面通路を、再び複数の上記通路部材に分離させることにより同前面通路の内部を開放することができる。
【００１０】
手段３
手段３にかかる発明は、手段２に記載した発明において、上記通路部材は互いに回動可能に連結される構成としてある。
すなわち、上記通路部材を互いに回動可能に連結することにより、同通路部材を回動させて上記前面通路の内部を開放することが可能となる。
【００１１】
手段４
手段４にかかる発明は、手段２または手段３のいずれかに記載した発明において、上記通路部材は互いにスライド可能に連結される構成としてある。
すなわち、上記通路部材を互いにスライド可能に連結することにより、同通路部材をスライドさせて上記前面通路の内部を開放することが可能となる。
【００１２】
手段５
手段５にかかる発明は、手段２から手段４のいずれかに記載の発明において、上記通路部材の相対的な移動を阻止する封止機構が備えられる構成としてある。
すなわち、封止機構によって一の上記通路部材の他の上記通路部材に対する相対移動が阻止されるため、不用意に上記前面通路が開放されることを防止することができる。
【００１３】
手段６
手段６にかかる発明は、手段５に記載した発明において、上記本体部に形成され遊技球が流通可能な遊技領域と、上記本体枠の前面側において回動可能に枢支されるとともに所定の回動位置にて同本体部に背面側を略密着させつつ窓穴から上記遊技領域を視認させる窓枠とを具備するとともに、
上記封止機構は上記窓枠の背面側から操作可能に形成される構成としてある。
【００１４】
すなわち、上記本体部には遊技球が流通可能な遊技領域が形成され、同遊技領域にて遊技が行われる。窓枠は上記本体枠の前面側において回動可能に枢支される。そして、上記窓枠を所定の位置に回動させることにより、同窓枠の背面側と上記本体部が略密着し、上記遊技領域を前面側から覆うことができる。上記封止機構は上記窓枠の背面側から操作可能に形成されるため、同窓枠の背面側が上記本体部に略密着する状態においては同封止機構を操作することができない。従って、上記遊技領域が前面側から略閉鎖される通常の遊技時において上記前面通路が開放されることを防止することができる。従って、営業時間中に上記前面通路に不正が加えられることが防止できる。
【００１５】
手段７
手段７にかかる発明は、手段６に記載した発明において、上記窓枠が上記本体部に背面側を略密着させる状態で、同窓枠を同本体部に固定する施錠機構が備えられる構成としてある。
すなわち、上記窓枠が不正に回動させられて上記遊技領域が開放されることを防止することができる。さらに、上記封止機構の解除も防止することができるため、上記前面通路の封止をより強固にすることができる。
【００１６】
手段８
手段８にかかる発明は、手段６または７のいずれかに記載した発明において、上記封止機構は、上記窓枠の背面側に形成された係合構造である構成としてある。
すなわち、上記封止機構として係合構造を適用してもよい。例えば、可撓性を有する係合爪を形成し、同係合爪を上記窓枠の背面側から操作可能とすることより、上記封止機構を解除することができる。
【００１７】
手段９
手段９にかかる発明は、手段６から手段８のいずれかに記載した発明において、上記前面通路は上記窓枠に対して着脱可能に備えられる構成としてある。
すなわち、上記前面通路を上記窓枠に対して装着可能とし、かつ、取り外すことを可能とすることよって、上記前面通路を取り外して清掃を行うことが可能となる。
【００１８】
手段１０
手段１０にかかる発明は、手段９に記載した発明において、上記前面通路を上記窓枠に固定するための固定機構が上記窓枠の背面側から操作可能に形成される構成としてある。
すなわち、上記固定機構は上記窓枠の背面側から操作可能に形成されるため、同窓枠の背面側が上記本体部に略密着する状態においては同固定機構を操作することができない。従って、上記遊技領域が前面側から覆われる通常の遊技時において上記前面通路が取り外されることを防止することができる。従って、営業時間中に上記前面通路に不正が加えられることが防止できる。
【００１９】
手段１１
手段１１にかかる発明は、手段２から手段１０のいずれかに記載した発明において、上記通路部材は略樋状に形成されるとともに、互いに内側を向かい合わせて合体することにより略筒状の上記前面通路が形成される構成としてある。
すなわち、略樋状に形成された上記通路部材の内側を互いに向かい合わせることにより上記前面通路を略筒状に形成することができる。
【００２０】
手段１２
手段１２にかかる発明は、手段３から手段１０のいずれかに記載した発明において、複数の上記通路部材を相互に回動可能に連結する通路ヒンジが備えられる構成としてある。
すなわち、通路ヒンジを具備することにより複数の上記通路部材を相互に回動可能に連結することができる。
【００２１】
手段１３
手段１３にかかる発明は、手段１２に記載した発明において、上記前面通路において上記通路ヒンジは上記本体部の幅方向外側に取り付けられる構成としてある。
すなわち、上記本体部の中央部前方に位置する遊技者から上記通路ヒンジを目立ちにくくすることができるため、見栄えを良好にすることができる。
【００２２】
手段１４
手段１４にかかる発明は、手段１２に記載した発明において、上記前面通路の内部に上記通路ヒンジが形成される構成としてある。
すなわち、上記前面通路の内部に上記通路ヒンジを形成することにより、上記通路ヒンジを目立ちにくくすることができるため、見栄えを良好にすることができる。また、上記通路ヒンジは上記前面通路によって保護されるため、同通路ヒンジに対して不正が加えられることが防止できる。
【００２３】
手段１５
手段１５にかかる発明は、手段１２から手段１４のいずれかに記載した発明において、上記通路ヒンジは上記通路部材の連結が解除可能に形成される成としてある。
すなわち、上記通路部材の同士の連結を解除することにより、上記前面通路を分解することができる。従って、個々の上記通路部材に対して確実に清掃を行うことができ、上記前面通路を清潔に保つことができる。
【００２４】
手段１６
手段１６にかかる発明は、手段４から手段１１のいずれかに記載した発明において、上記複数の上記通路部材を相互に回動可能に連結するスライドレールが備えられる構成としてある。
すなわち、スライドレールを具備することにより複数の上記通路部材を相互にスライド可能に連結することができる。また、スライド方向が一定するため、安定して上記通路部材をスライドさせることができる。
【００２５】
手段１７
手段１７にかかる発明は、手段１６に記載した発明において、上記スライドレールは上記通路部材の連結が解除可能に形成される成としてある。
すなわち、上記通路部材の同士の連結を解除することにより、上記前面通路を分解することができる。従って、個々の上記通路部材に対して確実に清掃を行うことができ、上記前面通路を清潔に保つことができる。
【００２６】
手段１８
手段１８にかかる発明は、手段２から手段１７のいずれかに記載した発明において、上記通路部材同士の接合部位には互いに嵌り合う嵌合構造が形成される構成としてある。
すなわち、上記通路部材同士の接合部位には互いに嵌り合う嵌合構造を設けることにより、同通路部材同士の接合を確実に行うことができる。また、上記通路部材同士の間に形成される隙間の形状を複雑化させることができるため、隙間から上記前面通路の内部に異物が侵入されることが防止できる。
【００２７】
手段１９
手段１９にかかる発明は、手段６から手段１８のいずれかに記載した発明において、上記前面通路は、上記窓枠から前面側に突設される構成としてある。
すなわち、上記前面通路を上記窓枠から前面側に突設することにより、同前面通路をより目立たせることができる。従って、上記遊技機の趣向性を向上させることができる。なお、上記前面通路が上記窓枠から突設されるため、同前面通路は上記窓枠とともに回動することとなる。
【００２８】
手段２０
手段２０にかかる発明は、請求項１または手段１から手段１９のいずれかに記載した発明において、上記供給部は背面側に備えられるとともに、
上記供給部から上記前面通路に遊技球を案内する連絡通路が上記遊技機の前後を貫通して形成される構成としてある。
すなわち、上記遊技機を前後に貫通する連絡通路を形成することにより、上記遊技機の背面側に備えられた上記供給部から遊技球を上記前面通路まで案内することができる。上記遊技機の背面側に備えられる上記供給部として遊技球タンク等を適用することができる。上記遊技球タンクは大量の遊技球を一時的に貯留しておくことから、遊技者の手の届く位置に配設すると、遊技球が盗み取られるおそれがある。従って、上記遊技球タンクは遊技機の背面側に配設しておくことが望ましい。
【００２９】
手段２１
手段２１にかかる発明は、請求項１または手段１から手段２０のいずれかに記載した発明において、上記窓枠は上記窓穴を塞ぐ透明板を保持する透明板保持枠である構成としてある。
すなわち、上記窓枠に上記窓穴を塞ぐ透明板が備えられるため、上記窓枠を所定の回動位置に回動させて、上記本体部に略密着させたときには、上記遊技領域を前面側から閉鎖することができる。上記透明板はガラスや合成樹脂等の透明素材で形成されるため、上記遊技領域を前面側から閉鎖しつつ視認することができる。
【００３０】
手段２２
手段２２にかかる発明は、手段１から手段２１のいずれかに記載した発明において、上記前面通路の上方部分の内部を透視不能とし、同前面通路の下方部分の内部を透視可能とする構成としてある。
すなわち、上記前面通路の上方部分の内部を透視不能とすることにより、同上方部分に対する不正防止を実現することができる。一方、上記前面通路の下方部分の内部を透視可能とすることにより、同下方部分を流通する遊技球を視認可能とし趣向性を向上させることができる。なお、上記前面通路の上方部分の近くには上記払い出し装置等の機構部材が配置される場合があり、当該部分については不正防止対策をする必要がある。
【００３１】
手段２３
手段２３にかかる発明は、手段２２に記載した発明において、上記前面通路の上方部分を開放不能とし、同前面通路の下方部分を開放可能とする構成としてある。
すなわち、上記前面通路の上方部分の開放不能とすることにより、同上方部分に対する不正防止を実現することができる。一方、上記前面通路の下方部分の開放可能とすることにより、内部が透視可能な同下方部分については清掃を容易に行うことができる。
【００３２】
手段２４
手段２４にかかる発明は、請求項１または手段１から手段２３のいずれかに記載した発明において、上記遊技機は遊技球を遊技媒体とするとともに、上記遊技領域にてドラムが回転させられるパチロットある構成としてある。
すなわち、本発明をパチロットにも適用することができる。なお、パチロットは、メダルの代わりに一定数のパチンコ球を使用して絵合わせを行うものでありパチンコ機とスロットマシンの両方の特徴を備えた遊技機である。このようなパチロットも、遊技球の払い出しが行われるため、本発明を適用することができる。
【発明の効果】
【００３３】
以上説明したように、請求項１にかかる発明によれば、遊技機の背面側のスペースを有効に利用可能、かつ、見栄えが良好な遊技機を提供することができる。
請求項２にかかる発明によれば、前面通路を目立たせて趣向性を向上させることができるとともに、スペースを有効に利用することができる。
請求項３にかかる発明によれば、前面通路に対する不正を防止することができる。
手段１にかかる発明によれば、前面通路を通過する遊技球の様子を視認することができる。
手段２にかかる発明によれば、前面通路を開放することができる。
手段３にかかる発明によれば、回動によって前面通路を開放することができる。
手段４にかかる発明によれば、スライドによって前面通路を開放することができる。
【００３４】
手段５にかかる発明によれば、不用意に前面通路が開放されないようにすることができる。
手段６にかかる発明によれば、不正に前面通路が開放されないようにすることができる。
手段７にかかる発明によれば、不正に前面通路が開放されないようにすることができる。
手段８にかかる発明によれば、簡易な構成によって前面通路を封止することができる。
【００３５】
手段９にかかる発明によれば、前面通路を取り外して清掃することができる。
手段１０にかかる発明によれば、不正に前面通路が取り外されないようにすることができる。
手段１１にかかる発明によれば、複数の通路部材によって略筒状の前面通路を形成することができる。
手段１２にかかる発明によれば、ヒンジによって複数の通路部材を回動可能に連結することができる。
【００３６】
手段１３にかかる発明によれば、通路ヒンジが遊技機の美観を損ねないようにすることができる。
手段１４にかかる発明によれば、通路ヒンジに不正が加えられることが防止できる。
手段１５にかかる発明によれば、前面通路を分解して清掃することができる。
手段１６にかかる発明によれば、通路部材を安定してスライドさせることができる。
手段１７にかかる発明によれば、前面通路を分解して清掃することができる。
【００３７】
手段１８にかかる発明によれば、前面通路の内部に異物が侵入されないようにすることができる。
手段１９にかかる発明によれば、遊技機の趣向性を向上させることができる。
手段２０にかかる発明によれば、遊技球を背面側から前面通路まで案内することができる。
手段２１にかかる発明によれば、遊技領域を前面側から閉鎖することができる。
手段２２にかかる発明によれば、不正防止性と趣向性とを両立させることができる。
手段２３にかかる発明によれば、不正防止性と趣向性とを両立させることができる。
手段２４にかかる発明によれば、パチロットの背面側のスペースを有効に利用するとともに、趣向性を向上させることができる。
【発明を実施するための最良の形態】
【００３８】
ここでは、下記の順序に従って本発明の実施形態について説明する。
（１）第一の実施形態：
１−ａ）全体構成：
１−ｂ）前面通路の詳細：
（２）第二の実施形態：
（３）第三の実施形態：
（４）第四の実施形態：
（５）第五の実施形態：
（６）第六の実施形態：
（７）第七の実施形態：
（８）まとめ：
【００３９】
（１）第一の実施形態：
１−ａ）全体構成：
図１は、本発明の第一の実施形態にかかるパチンコ遊技機を斜めから見て示している。同図において、パチンコ遊技機１０は木材で矩形枠状に形成された外枠１１を有しており、同外枠１１をホール等に固定することにより正立した状態で設置される。外枠１１の内側には合成樹脂等で形成された矩形枠状の本体枠１２が嵌め込まれている。本体枠１２の前面側には、同本体枠１２と回動可能な窓枠および透明板保持枠としてのガラス枠１３が枢支されている。ガラス枠１３は中央部に窓穴１３ｄを有しており、同開口からガラス１３ａが露出するように保持されている。
【００４０】
ガラス１３ａは透視可能であり、ガラス１３ａの内側を視認することが可能となっている。本体枠２０は矩形開口を有しており、同矩形開口にて矩形板状の遊技盤２４が保持されている。そして、前面側からガラス１３ａを透視することにより、その内側に保持された遊技盤２４の様子を視認することが可能となっている。遊技盤２４の前面には略円環状の遊技レールが立設されており、同遊技レールおよびガラス枠１３に囲まれた遊技領域２５にて遊技球を流通させて遊技を行う。ガラス枠１３における窓穴１３ｄを囲む部分を前方に隆起させることにより略円環畝状の装飾部１３ｅを設けている。装飾部１３ｅは彩色により模様が形成されるとともに、内部に照明部材が埋設される。このようにすることにより、装飾部１３ｅによって遊技領域２５を装飾することができる。ガラス枠１３の下方には上皿１４が前面側に向かって突設されており、さらにその下方には下皿１５が前面側に向かって突設されている。上皿１４および下皿１５は所定の深みを有する皿状に形成されているため、遊技球を貯留しておくことができる。なお、本体枠１２と外枠１１と遊技盤２４とが本発明にいう本体部を構成する。
【００４１】
下皿１５の側方には半球状の発射ハンドル１６が回動可能に突設されており、同発射ハンドル１６の回動量に応じて遊技球の発射を行うことが可能となっている。発射ハンドル１６が備えられた部位の内部には発射機構１６ａが備えられている。発射機構１６ａは、遊技領域まで遊技球を案内するレールと、発射ハンドル１６の回動量に応じて動作する発射槌を有している。また、上皿１４と発射機構１６ａとは図示しない通路により連通しており、上皿１４に貯留された遊技球を発射槌に供給することが可能となっている。そして、供給された遊技球を発射槌が弾くことにより、遊技球が付勢され、遊技領域に発射される。
【００４２】
パチンコ遊技機１０の前面側には長い略円筒状の前面通路３０が備えられており、同前面通路３０を経由して上皿１４および下皿１５に遊技球が供給される。前面通路３０の上方部分は、略前後方向に配向する延設部３１によって構成されており、同延設部３１がガラス枠１３から略前方に延設されている。延設部３１は前方が低くなるように傾斜させられており、同延設部３１の前方端部から鉛直下方に向かって直線状の落下部３２が延設されている。
【００４３】
図２は、パチンコ遊技機１０を側方から見て示している。同図において、ガラス枠１３よりも延設部３１の長さの分だけ落下部３２が前面側に配置されている。すなわち、前面通路３０は延設部３１の長さの分だけ前面側に突出している。このようにすることにより、前面側にて遊技を行う遊技者に前面通路３０を目立たせることができる。従って、前面通路３０に模様等を形成することにより、パチンコ遊技機１０の趣向性を向上させることができる。また、前面通路３０とガラス枠１３とが前後に離間した配置となるため、両者の間に略矩形状の隙間Ｓを形成することができる。なお、前面通路３０の詳細については後述する。
【００４４】
図３は、パチンコ遊技機１０を背面側から見て示している。同図において、パチンコ遊技機１０の背面側には略板状の機構板１７が枢支されており、本体枠１２に保持されている遊技盤２４は同機構板１７によって背面側から覆われている。機構板１７には保護カバー２２が取り付けられており、同保護カバー２２に背面側から覆われるように液晶ユニット２１や制御ボックス２３が配設されている。液晶ユニット２１は遊技領域の中央部に表示面を露出させる液晶パネルを駆動するための装置であり、遊技盤２４を貫通するように取り付けられている。制御ボックス２３はパチンコ遊技機１０の主要な動作を制御する制御基板を収容する基板ボックスであり、内部の制御基板を強固に封止している。
【００４５】
パチンコ遊技機１０の背面側の上部には遊技球が貯留可能なタンク１８が備えられている、タンク１８は幅方向に長い皿状に形成されており、上方に開口している。タンク１８は本発明にいう供給部に相当し、同タンク１８はホール等に設置される遊技球供給装置から遊技球の供給を受ける。タンク１８を遊技機における上方部分に備えておくことにより、遊技球が重力に引かれて流下する勢いを利用して、遊技球を流通させることができる。タンク１８の底面は紙面右方が低くなるように形成されており、タンク１８内を流下する遊技球は紙面右方向に流通する。
【００４６】
タンク１８の底面の紙面右方端部には穴が形成されており、同穴からタンクレール１８ａに遊技球が落下する。タンクレール１８ａは紙面右側が低くなるように傾斜しており、タンクレール１８ａに落下した遊技球は紙面右側に流下する。さらに、タンクレール１８ａの紙面右側端部の下方に備えられた払い出し装置１９に遊技球が落下する。払い出し装置１９は遊技球の直径程度の内径を有する通路１９ａを有しており、同通路１９ａの側方にて略五角形の回転体１９ｂが備えられ、同回転体１９ｂの一部が同通路１９ａの内部に突出している。そして、回転体１９ｂが１／５回転する毎に遊技球を一球下方に送り出すことが可能となっている。すなわち、回転体１９ｂの回転量に応じて払い出される遊技球の数量が制御されている。なお、回転体１９ｂの回転量は、制御ボックス２３に収容された制御基板等に備えられたＣＰＵ等の演算結果に応じて制御されている。
【００４７】
例えば、大当たりが出た場合等には回転体１９ｂを高速に回転させるようにＣＰＵ等が指令する。逆に、賞球がない場合には、回転体１９ｂを停止させるようにＣＰＵ等が指令する。通路１９ａは払い出し装置１９の下方に備えられたガイド部材２０の内部に連通しており、払い出し装置１９にて払い出された遊技球はガイド部材２０の内部に落下する。
【００４８】
図４は、遊技球の通路を模式的に示している。同図において、ガイド部材２０は内部に略Ｌ字状の通路２０ａを有しており、通路２０ａの底面は前方になるほど低くなるように傾斜している。通路２０ａの前方端部は開口しており、底面を伝って流下する遊技球を前方に排出することが可能となっている。また、通路２０ａの前方端部の開口は、機構板１７を前後に貫通するように形成された機構板通路１７ａの後端と接続されている。従って、ガイド部材２０から排出された遊技球は、機構板通路１７ａに導入される。機構板通路１７ａの底面も前方になるほど低くなるように傾斜しているため、機構板通路１７ａに導入された遊技球はさらに前方に流下する。
【００４９】
機構板１７は本体枠１２に対して回動可能に枢支されているが、機構板１７と本体枠１２とが平行となるように機構板１７を回動させることにより、機構板１７と本体枠１２とが略密着する。このとき、機構板通路１７ａの前端も本体枠１２に背面側から接触し、同本体枠１２を前後に貫通するように形成された本体枠通路１２ａの後端と接続する。このようにすることにより、機構板通路１７ａを流下した遊技球を本体枠通路１２ａに案内することができる。本体枠通路１２ａの底面も前方になるほど低くなるように傾斜しているため、本体枠通路１２ａに導入された遊技球はさらに本体枠通路１２ａを前方に流下する。
【００５０】
一方、本体枠１２の前面側に備えられるガラス枠１３には、同ガラス枠１３を前後に貫通するガラス枠通路１３ｂが穿設されている。ガラス枠１３は本体枠１２に対して回動可能に枢支されているが、本体部１２に背面側を略密着させ遊技領域を前面側から閉鎖するようにガラス枠１３を回動させたときには、ガラス枠１３と本体枠１２に保持された遊技盤２４とを平行に略密着させることができる。このとき、本体枠通路１２ａの前端と、ガラス枠通路１３ｂの後端とが接続する。ガラス枠通路１３ｂの内側には前面側から前面通路３０の延設部３１の端部が挿し込まれている。延設部３１は中空状となっているため、本体枠通路１２ａを流下し前面側に排出された遊技球はガラス枠通路１３ｂに案内され、さらその内側に挿入された延設部３１の内部に案内されることとなる。さらに、延設部３１は前方になるほど低くなるように傾斜しているため、延設部３１に案内された遊技球は前方に流下し、落下部３２に到達する。落下部３２に到達した遊技球は下方に向かって自由落下することとなる。
【００５１】
このようにパチンコ遊技機１０を構成する各部材の前後を貫通する機構板通路１７ａと本体枠通路１２ａとガラス枠通路１３ｂを形成し、これらを前後に接続することにより、パチンコ遊技機１０を前後に貫通する連絡通路Ａを形成することができる。この連絡通路Ａによれば遊技球を背面側から前面側に流通させることができるため、払い出し装置１９から払い出された遊技球を前面側に供給することができる。落下部３２を流下した遊技球は上皿通路３４および下皿通路３５を利用して上皿１４または下皿１５に供給される。
【００５２】
図５はパチンコ遊技機１０を前面側から見て示し、図６はパチンコ遊技機１０を上方から見て示している。両図において、パチンコ遊技機１０の左側に隣接して球貸し機４０が設置されている。球貸し機４０は略矩形箱状の筐体４１の側面をパチンコ遊技機１０の外枠１１に接触させるように設置されており、前面側に排出部４２を有している。筐体４１の前面と本体枠１２の前面とがほぼ同一面上に位置するように、パチンコ遊技機１０と球貸し機４０とが配置されている。図５から分かるように、ガラス枠１３の略中央部に遊技領域２５が形成され、同遊技領域２５の外側を囲むように装飾部１３ｅが形成されている。そして、遊技領域２５および装飾部１３ｅおよび上皿１４の左端部分が前面通路３０と前後に重なっている。
【００５３】
すなわち、遊技領域２５と装飾部１３ｅと上皿１４の左端部分が前面通路３０と前後に対向している。しかし、前面通路３０はガラス枠１３よりも前方に離れて形成されているため、ガラス枠１３において遊技領域２５と装飾部１３ｅと上皿１４を前面通路３０に制限されることなく形成することができる。すなわち、前面通路３０と遊技領域２５、装飾部１３ｅ、上皿１４は前後方向に位置が異なっているため、これらを干渉させることなく形成することができる。従って、遊技領域２５を前面通路３０に依存することなく広く形成することができる。さらに、図１に示すように前面通路３０と遊技領域２５、装飾部１３ｅとの間には隙間Ｓが形成されているため、遊技領域２５の正面に位置する遊技者は前面通路３０に阻害されることなく遊技領域２５および装飾部１３ｅを視認することができる。
【００５４】
なお、ガラス枠１３に備えられた装飾部１３ｅと、上皿１４は、本発明にいう構造物に相当する。このように、前面通路３０をガラス枠１３から前方に離れて形成することにより、種々の構造物を前面通路３０とガラス枠１３との間に形成することができる。すなわち、前面通路３０が配設される部位をデッドスペースとせず、有効に利用することができる。例えば、上記構造物として装飾部１３ｅのような装飾部を配設することもできるし、スピーカや照明等の電装部材を配設することもできる。また、上皿１４よりも前面通路３０を前面側に形成することにより、上記構造物として上皿１４のような突出物も前面通路３０と干渉することなく配設することができる。以下、排出部４２の詳細について説明する。
【００５５】
図７は、排出部４２を斜めから見て示している。排出部４２は筐体４１の前面から前面側に突出するベース部４３を有しており、水平断面視にて略半円状なるようにベース部４３が形成されている。ベース部４３は高さ方向中央部にて上下に分断されており、同分断された部位には連結部４４が取り付けられている。連結部４４はベース部４３に対して水平方向に回動可能となるように保持されている。連結部４４から外側に向かって一対の略板状の軸板４４ａ，４４ａが突設されている。軸板４４ａ，４４ａはそれぞれ法線が水平方向となるように形成されており、それぞれを垂直に貫通する回転軸４４ｂが設けられている。
【００５６】
軸板４４ａ，４４ａによって外側から挟み込まれるように矩形筒状の排出通路４５が保持されている。回転軸４４ｂが排出通路４５を貫通することにより、排出通路４５が連結部４４に対して回動可能に保持されている。排出通路４５は軸方向が水平方向となる回転軸４４ｂまわりに回動することができるため、鉛直方向の回動が可能となっている。また、排出通路４５の内部は中空状となっており、遊技球を流通させることが可能となっている。筐体４１の内部には遊技者の操作に応じて遊技球を排出する経路が設けられており、同経路と排出通路４５とが接続されている。排出通路４５と接続する筐体４１の内部の経路は柔軟性を有しており、鉛直方向および水平方向に回転移動する排出通路４５に追従することが可能となっている。例えば、図８に示すように排出通路４５を鉛直に配向させることも可能となっている。なお、回転軸４４ｂを排出通路４５の内部にて屈曲させるか分断させることにより、回転軸４４ｂによって遊技球の流通が妨げられないようにしている。
【００５７】
このようにすることにより、遊技者の操作や支払いに応じた数量の遊技球を排出通路４５から排出することができる。また、排出通路４５の角度調整を行うことができるため、排出対象となるパチンコ遊技機の対応した位置に遊技球を排出することができる。本実施形態において、図５および図６に示すように、排出通路４５は、パチンコ遊技機１０における前面通路３０の落下部３２から背面側に突設された導入部３３に対して上方から遊技球を排出するように角度調整されている。  
【００５８】
図９は、導入部３３を斜めから見て示している。同図において、導入部３３は落下部３２に向かって遊技球を誘導可能な椀状に形成されており、導入部３３と落下部３２とを連通させる穴３０ａが同落下部３２の壁面に形成されている。導入部３３は上方に開口しており、落下部３２に形成された導入穴３０ａに取り付けられている。導入部３３は下方に一対の回動軸３３ｂ，３３ｂを有しており、同回動軸３３ｂ，３３ｂによって落下部３２に対して回動可能に連結されている。導入部３３から導入穴３０ａの内部に侵入するように一対の第一ストッパ３３ａ，３３ａが突設されている。第一ストッパ３３ａ，３３ａはそれぞれ外側に突出しており、第一ストッパ３３ａ，３３ａが導入穴３０ａから抜けないようにされている。
【００５９】
一方、導入部３３の上部から上方に第二ストッパ３３ｃが突設されており、導入部３３を回動軸３３ｂ，３３ｂまわりに回動させたとき、第二ストッパ３３ｃと、落下部３２における導入穴３０ａのすぐ上の部分とが干渉するようになっている。これにより、導入部３３が必要以上に回動されることを防止している。図９の状態においては、導入穴３０ａを開放し、導入穴３０ａから遊技球を侵入させることができる。これにより、導入部３３に排出された遊技球を落下部３２の内部に案内することができる。さらに、落下部３２に案内された遊技球は上皿通路３４および下皿通路３５を利用して上皿１４または下皿１５に供給される。
【００６０】
一方、第二ストッパ３３ｃと前面通路３０における導入穴３０ａのすぐ上の部分とが干渉するように導入部３３を回動させたときには、導入穴３０ａを閉鎖することができるとともに、導入部３３を前面通路３０から突出させないように収納することができる。なお、導入部３３も、互いに離れて形成された前面通路３０とガラス枠１３との間に突設されているため、本発明にいう構造物に相当する。すなわち、前面通路３０とガラス枠１３とを離れて形成しておくことにより、前面通路３０とガラス枠１３との間に導入部３３を設けることが可能となっている。また、構造物は導入部３３のように前面通路３０に備えられるものであってもよい。
【００６１】
パチンコ遊技機１０の前面側に突設された前面通路３０に対して、同様に前面側に突設された排出部４２を利用して遊技球を排出することにより、最短経路で遊技球を球貸し機４０から前面通路３０に排出することができる。特に、前面通路３０はガラス枠１３における球貸し機４０が設置された側に備えられているため、より短い距離で遊技球を前面通路３０に排出することが可能となっている。従って、球貸し機４０から排出される遊技球が球詰まり等を起こす可能性を低減することが可能となっている。
【００６２】
遊技盤２４の前面側に形成された遊技領域２５は、同ガラス枠１３が前面側から略密着されることにより略閉鎖されるが、図１０に示すようにガラス枠１３を回動させることにより、本体枠１２からガラス枠１３が離反し、遊技盤２４の前面側に形成された遊技領域２５を前面側に開放することが可能となっている。なお、図１０のようにガラス枠１３を回動させるためには、図１に示す施錠機構１３ｃを予め解錠しておく必要がある。従って、不正にガラス枠１３を回動させて遊技領域２５に手を加えることは不可能となっている。一方、施錠機構１３ｃを解錠するための鍵を所有しているホールの管理者等は施錠機構１３ｃを解錠して、遊技領域２５等のメンテナンスを行うことができる。
【００６３】
図１０において、ガラス枠１３は左端部の鉛直軸を中心として回動させられている。前面通路３０はガラス枠１３に取り付けられているため、ガラス枠１３の回動に伴って前面通路３０も回動することとなる。このとき、前面通路３０の回動方向に位置する排出通路４５は予め水平方向に回動させられているため、前面通路３０と排出通路４５とが干渉することなくガラス枠１３を回動させることができる。また、導入部３３も前面通路３０の内部に収納されている。同図の状態においては、遊技領域２５が右前方から開放されたに過ぎず、遊技領域２５の全体にわたって配置された釘の角度調整等を行うには開放量が不十分である。
【００６４】
図１１は、ガラス枠１３をさらに回動させて、遊技領域２５の全体を前面側に開放させた状態を示している。同図において、遊技領域２５の全体が前面側に開放されるため、前面側から釘の角度調整等を行うことが可能となる。前面通路３０もガラス枠１３とともに回動量が増加されており、前面通路３０の延設部３１と球貸し機４０の排出部４２とが上下に重なっている。しかしながら、延設部３１と排出部４２とは形成された高さが異なるため、両者を干渉させることなくガラス枠１３を回動させることが可能となっている。
【００６５】
図５において、排出部４２が形成される高さに前面通路３０の落下部３２が配置されている。また、落下部３２とガラス枠１３との間には隙間Ｓが形成されているため、図１１のようにガラス枠１３を回動させたときには隙間Ｓの軌道上に排出部４２が存在することとなる。いいかえれば、排出部４２が同排出部４２と同じ高さに形成された落下部３２の軌道よりも内側に配置されている。従って、前面通路３０と排出部４２とを干渉させることなくガラス枠１３を回動させることが可能となっている。なお、このとき排出部４２の排出経路４５は、図８に示すように軸方向が鉛直となる方向に回動させられている。このようにすることにより、排出経路４５を筐体４１側に略密着させて排出部４２の水平方向に対する占有面積を極力小さくすることができる。従って、水平方向に回動する落下部３２の軌道上に排出部４２を存在させなくすることができる。
【００６６】
以上説明したように、前面通路３０の一部（落下部３２）とガラス枠１３との間に隙間Ｓを形成し、同隙間Ｓの軌道上に球貸し機４０の排出部４２を形成することにより、前面通路３０と排出部４２との干渉を防止することができる。従って、前面通路３０を前面側に突設することによる趣向性と、ガラス枠１３の回動可能量が大きいことによるメンテナンスの容易性を両立させたパチンコ遊技機１０を提供することができる。また、パチンコ遊技機１０の背面側には遊技球の払い出し経路が形成されないため、背面側のスペースを有効に利用することができる。
【００６７】
図１２は、ガラス枠１３を本体枠１２に対して回動可能に連結するヒンジを斜めから見てしている。同図において、説明のためガラス枠１３は破線により示している。ガラス枠１３の背面側には軸方向を鉛直に配向させた窓枠用回動軸１３ｇが備えられ、同窓枠用回動軸１３ｇが本体枠１２から前面側に突設された軸受け１２ｂにて軸受けされている。なお、図示しないが本体枠１２とガラス枠１３の下部にも両者を回動可能に連結するヒンジが備えられ、このヒンジにおける回動軸と窓枠用回動軸１３ｇは同一の鉛直直線上に配置されている。このようにすることにより、ガラス枠１３を窓枠用回動軸１３ｇまわりに回動させることが可能となる。
【００６８】
一方、矩形枠状に形成された外枠１１の内側に本体枠１２は背面側から嵌め込まれており、本体枠１２は外枠１１に対して回動可能となっている。本体枠１２を外枠１１に対して回動可能に連結するヒンジは本体枠１２に取り付けられた本体枠用回動軸１２ｃと、外枠１１に取り付けられ同回動軸１２ｃが鉛直方向に挿通する軸受け１１ａとから構成されている。図示しないが本体枠１２を外枠１１の下部にも両者を回動可能に連結するヒンジが備えられ、このヒンジにおける回動軸と本体枠用回動軸１２ｃは同一の鉛直直線上に配置されている。このようにすることにより、本体枠１２を本体枠用回動軸１２ｃまわりに回動させることが可能となる。なお、本体枠用回動軸１２ｃと窓枠用回動軸１３ｇの軸位置はわずかにずらされている。
【００６９】
このように、本体枠１２を外枠１１に対して回動可能に枢支させることにより、本体枠１２の背面側のメンテナンスを行うことが可能となる。図１３は、本体枠１２を外枠１１に対して回動させた状態を上方から見て示している。同図において、本体枠１２に対してガラス枠１３は閉じられており、ガラス枠１３を伴って本体枠１２が回動させられている。このようにすることにより、本体枠１２の背面側を前面側に移動させることができるため、本体枠１２の背面側のメンテナンス等を行うことができる。
【００７０】
本体枠１２とともにガラス枠１３も回動しているため、ガラス枠１３に備えられた前面通路３０も回動させられている。落下部３２とガラス枠１３との間には隙間Ｓが形成されているため、図１３のように本体枠１２を回動させたときには隙間Ｓの軌道上に排出部４２が存在することとなる。いいかえれば、排出部４２が同排出部４２と同じ高さに形成された落下部３２の軌道よりも内側に配置されている。従って、前面通路３０と排出部４２とを干渉させることなく本体枠１２を回動させることが可能となっている。すなわち、ガラス枠１３を本体枠１２に対して回動させたときと同様の理由によって、本体枠１２を外枠１１に対して回動させたときも前面通路３０と排出部４２とが干渉することが防止されている。
【００７１】
図１４は、ガラス枠１３を本体枠１２に対して回動させたとき、および、本体枠１２を外枠１１に対して回動させたときに前面通路３０と排出部４２とが干渉しない条件を模式的に説明している。同図において、パチンコ遊技機１０と球貸し機４０が上方から見て示されており、要部が簡略化された図形によって示しされている。本体枠用回動軸１２ｃおよび窓枠用回動軸１３ｇの位置はそれぞれ点によって示されている。パチンコ遊技機１０における本体枠用回動軸１２ｃおよび窓枠用回動軸１３ｇが形成された側に隣接して球貸し機４０が設置されており、上方視略半円状のベース部４３および上方に軸方向が配向するように回動させられた排出経路４５等からなる排出部４２が前面側に突設されている。  
【００７２】
本体枠１２およびガラス枠１３をそれぞれ回動させたときには、それぞれ本体枠用回動軸１２ｃおよび窓枠用回動軸１３ｇまわりの回動が行われることとなる。従って、本体枠用回動軸１２ｃおよび窓枠用回動軸１３ｇを中心とした円周上において前面通路３０の落下部３２が移動することとなる。同図においては、落下部３２における窓枠用回動軸１３ｇと最も近い位置の円周軌道Ｒ１を図示し、落下部３２における本体枠用回動軸１２ｃと最も近い位置の円周軌道Ｒ２を図示している。本体枠用回動軸１２ｃおよび窓枠用回動軸１３ｇまわりに落下部３２が回動をしたとき、少なくとも円周軌道Ｒ１と円周軌道Ｒ２の内側の領域においては落下部３２が通過することはない。そして、円周軌道Ｒ１と円周軌道Ｒ２の内側の領域に排出部４２が存在しているため、本体枠１２およびガラス枠１３をそれぞれ回動させたときに、排出部４２と落下部３２とを干渉させないようにすることが可能となっている。
【００７３】
これに対して、円周軌道Ｒ１と円周軌道Ｒ２の外側の領域に排出部４２が存在した場合には、本体枠１２およびガラス枠１３をそれぞれ回動させたときに、排出部４２と落下部３２とが干渉し得る。いいかえれば、本体枠用回動軸１２ｃと排出部４２との最長距離よりも本体枠用回動軸１２ｃと落下部３２との最短距離が短い場合に、本体枠１２を回動させた際に排出部４２と落下部３２とが干渉し得る。同様に、窓枠用回動軸１３ｇと排出部４２との最長距離よりも窓枠用回動軸１３ｇと落下部３２との最短距離が短い場合に、ガラス枠１３を回動させた際に排出部４２と落下部３２とが干渉し得る。
【００７４】
従って、上記の条件とならないような前面通路３０の設計や球貸し機４０の配置を行う必要がある。なお、ここでいう最短距離は水平断面において落下部３２が物質的に占める領域と、窓枠用回動軸１３ｇまたは本体枠用回動軸１２ｃとの最短距離を意味する。同様に、最短距離は水平断面において排出部４２が物質的に占める領域と、窓枠用回動軸１３ｇまたは本体枠用回動軸１２ｃとの最長距離を意味する。また、排出通路４５は軸方向を鉛直とするように折り畳まれているものとし、導入部３３も前面通路３０の内部に収納されているものとする。
【００７５】
１−ｂ）前面通路の詳細：
次に、前面通路の詳細な構成について説明する。図１５は、ガラス枠１３から取り外された状態の前面通路３０を斜めから見て示している。同図において、前面通路３０は上下一対の通路ヒンジ３６，３６によって回動可能に連結された第一の通路部材３０Ａと第二の通路部材３０Ｂとから構成されている。第二の通路部材３０Ｂからは導入部３３と上皿通路３４とが突設されている。また、第二の通路部材３０Ｂの下方部分を屈曲させることにより下皿通路３５が形成されている。第一の通路部材３０Ａと第二の通路部材３０Ｂはそれぞれ半円筒状に形成されており、互いに向かい合うことにより円筒状の前面通路３０が形成される。
【００７６】
図１６は、前面通路３０を上方から見て示している。同図において、前面通路３０の延設部３１が上方から見えている。同図において、半円筒状の第一の通路部材３０Ａと第二の通路部材３０Ｂが前後に向かい合わせられており、円筒状の落下部３２が形成されている。また、半円筒状の第一の通路部材３０Ａと第二の通路部材３０Ｂが上下に向かい合うことにより、円筒状の延設部３１が形成されている。延設部３１の下方部分を構成する第二の通路部材３０Ｂを第一の通路部材３０Ａよりも背面側に長く形成することにより延長部３０Ｂ１を設けている。そして、延長部３０Ｂ１における背面側の端部の中央部に所定の切り欠きを形成することにより、可撓性を有する係合爪３０Ｂ２が設けられている。
【００７７】
図１７は、第二の通路部材３０Ｂに対して第一の通路部材３０Ａが回動させられた状態を示している。同図において、第一の通路部材３０Ａは通路ヒンジ３６，３６を回動軸として回動しており、前面通路３０が第一の通路部材３０と第二の通路部材３０Ｂとに分離している。このようにすることにより、前面通路３０の内部を外側に開放することができるため、前面通路３０の内部を容易に清掃することができる。前面通路３０の内部は多数の遊技球が流通し汚れが付着しやすい反面、パチンコ遊技機１０の前面側に突設されるため目立ちやすい。従って、前面通路３０の内部を外側に開放して清掃を行うことにより、パチンコ遊技機１０の見栄えを良好に維持することができる。また、通路ヒンジ３６，３６は、前面通路３０においてパチンコ遊技機１０の幅方向外側に取り付けられているため、通路ヒンジ３６，３６を中央前方の遊技者から目立ちにくくすることができる。
【００７８】
図１８は、前面通路３０における延設部３１の背面側端部を斜めから見て示している。同図において、延設部３１の下方部分を構成する第二の通路部材３０Ｂを第一の通路部材３０Ａよりも背面側に長く形成することにより延長部３０Ｂ１を設けている。延長部３０Ｂ１の背面側の中央部には可撓性を有する係合爪３０Ｂ２が設けられている。係合爪３０Ｂ２は下方に突出する爪を有しており、同爪は背面側に傾斜面を有し、前面側に鉛直面を有している。
【００７９】
図１９は、ガラス枠１３の左上部分を斜めから見て示している。同図において、図４において説明したガラス枠通路１３ｂが、ガラス枠１３を前後に貫通している。ガラス枠通路１３ｂには背面側から本体枠通路１２ａが接続されている。また、ガラス枠通路１３ｂの径は延設部３１の径よりもわずかに大きく形成されている。ガラス枠通路１３ｂの下面に凹みを形成することにより、前後に配列する一対の凹部１３ｂ１，１３ｂ２が設けられている。
【００８０】
図２０は、ガラス枠通路１３ｂの断面を見て示している。同図において、ガラス枠通路１３ｂに対して延設部３１の背面側端部が前面側から挿し込まれており、係合爪３０Ｂ２は挿入方向奥方の凹部１３ｂ１に対して係合している。係合爪３０Ｂ２は、背面側に斜面を有しているため、延設部３１の背面側端部を挿し込む際に撓むことができる。一方、延設部３１の背面側端部を前面側に抜き取る場合には、係合爪３０Ｂ２の前面側に形成された鉛直面と凹部１３ｂ１とが略平行に干渉する。従って、延設部３１の背面側端部をガラス枠通路１３ｂから単に抜き取ることは不可能となっている。むろん、係合爪３０Ｂ２を指等で押し上げることにより係合を解除すれば、延設部３１の背面側端部をガラス枠通路１３ｂから抜き取ることは可能である。
【００８１】
遊技領域２５がガラス枠１３によって略閉鎖されるようにガラス枠１３を回動させたとき、ガラス枠１３と本体枠１２とが略密着する。従って、遊技領域２５がガラス枠１３によって略閉鎖されるパチンコ遊技機１０の稼働状態においては、係合爪３０Ｂ２に触れることは不可能となるため、前面通路３０をガラス枠１３から取り外すことは不可能となっている。前面通路３０をガラス枠１３から取り外すためには、係合爪３０Ｂ２を押し上げる必要があり、予めガラス枠１３を回動させなければならない。ガラス枠１３は施錠機構１３ｃによって不正に回動することができなくなっているため、不正に前面通路３０をガラス枠１３から取り外すことが不可能となっている。
【００８２】
また、遊技領域２５がガラス枠１３によって略閉鎖される状態において、延設部３１をガラス枠通路１３ｂに対して過度に挿し込んだ場合、延設部３１の背面側端部が本体枠１２に当接することとなる。すなわち、これにより延設部３１の挿し込み量を正規の量に制限することができる。従って、遊技領域２５がガラス枠１３によって略閉鎖される状態において、前面通路３０をガラス枠１３に対して正確な位置に取り付けることができる。なお、前面通路３０をガラス枠１３に対して正確な位置に取り付けることにより、上皿通路３４が上皿１４とが接続し、下皿通路３５の開口が下皿１５の上方に位置させられる。上皿通路３４と上皿１４との接続については後述する。
【００８３】
係合爪３０Ｂ２が凹部１３ｂ１に対して係合するように延設部３１を挿し込んだとき、第一の通路部材３０Ａと第二の通路部材３０Ｂはともにガラス枠通路１３ｂの内部に到達している。従って、第一の通路部材３０Ａと第二の通路部材３０Ｂをともにガラス枠通路１３ｂの内部に拘束することができる。従って、第二の通路部材３０Ｂが第一の通路部材３０Ａに対して回動されることを防止することができる。上述したとおり遊技領域２５がガラス枠１３によって略閉鎖される状態において、延設部３１をガラス枠通路１３ｂから抜き取ることはできないため、パチンコ遊技機１０の稼働時に前面通路３０が開放されることが防止できる。
【００８４】
一方、図２１に示すようにガラス枠１３の背面側に本体枠１２が略密着しない状態、すなわち遊技領域２５が前面側に開放するようにガラス枠１３を本体枠１２に対して回動させた状態において、係合爪３０Ｂ２を背面側から押し上げることが可能となる。従って、この状態において係合爪３０Ｂ２が前面側の凹部１３ｂ２に係合するように、前面通路３０をずらすことが可能となる。凹部１３ｂ１，１３ｂ２の間隔は、第二の通路部材３０Ｂを第一の通路部材３０Ａよりも背面側に長く形成した延長部３０Ｂ１よりも長く形成されている。従って、係合爪３０Ｂ２が前面側の凹部１３ｂ２に係合するように前面通路３０をずらすことによって、第一の通路部材３０Ａをガラス枠通路１３ｂから完全に脱出させることができる。
【００８５】
これにより、第一の通路部材３０Ａに対するガラス枠通路１３ｂの拘束力が失われるため、図２２に示すように第一の通路部材３０Ａを第二の通路部材３０Ｂに対して回動させることが可能となる。すなわち、遊技領域２５が前面側に開放するようにガラス枠１３を本体枠１２に対して回動させた状態においては、第一の通路部材３０Ａを第二の通路部材３０Ｂに対して回動させて、前面通路３０の内部を清掃することが可能となっている。また、一度係合爪３０Ｂ２が前面側の凹部１３ｂ２に係合するように前面通路３０をずらしておいてから、再び遊技領域２５がガラス枠１３によって略閉鎖されるようにガラス枠１３を閉じてもよい。このようにすることにより、ガラス枠１３が安定するため、前面通路３０の清掃を行いやすくすることができる。
【００８６】
また、係合爪３０Ｂ２が前面側の凹部１３ｂ２に係合する状態からさらに前面通路３０を前面側に引き出すことにより、前面通路３０をガラス枠１３から取り外すことができる。前面通路３０が取り外された状態においては、前面通路３０の清掃やメンテナンスをより容易に行うことができる。なお、本実施形態においては係合爪３０Ｂ２をガラス枠１３の背面側から操作することにより、第一の通路部材３０Ａと第二の通路部材３０Ｂとの回動を可能とすることもできるし、前面通路３０をガラス枠１３から取り外すこともできる。すなわち、係合爪３０Ｂ２は封止機構および固定機構を構成していると言うことができる。
【００８７】
図２３は、上皿通路３４の断面を見て示している。同図において、上皿通路３４は前面通路３０の落下部３２から上皿１４に向かって突設されている。上皿通路３４の先端を開口させることにより上皿出口３４ａが形成されている。上皿１４の壁面には穴１４ｂが形成されており、同穴１４ｂの下方には外側に向かって略板状の位置決め板１４ａが突設されている。遊技領域２５がガラス枠１３によって略閉鎖されるようにガラス枠１３を回動させ、かつ、係合爪３０Ｂ２が凹部１３ｂ１に係合するように前面通路３０をガラス枠１３に取り付けたとき、上皿出口３４ａと穴１４ｂとが対向し、位置決め板１４ａ上に上皿通路３４が到来し位置決めされる。
【００８８】
上皿通路３４は先端が下降するように傾斜させられており、底面を落下部３２の内部に延設することにより、略板状の案内翼３４ｃが設けられている。案内翼３４ｃは落下部３２の外側に近づくにつれ低くなるように傾斜しており、案内翼３４ｃ上の遊技球は上皿通路３４に向かって流下する。落下部３２の内部における案内翼３４ｃの上方には、略板状のガイド翼３７が内側に向かって突設されている。ガイド翼３７は案内翼３４ｃの上方にて終端しており、先端になるほど低くなるように傾斜している。ガイド翼３７の先端と落下部３２の内壁とは少なくとも遊技球の直径以上の間隔が確保されている。
【００８９】
このようにすることにより、落下部３２の内部を落下する遊技球をガイド翼３７に衝突させ、ガイド翼３７上を流下させることにより、案内翼３４ｃ上に遊技球を落下させることができる。また、ガイド翼３７に落下しない遊技球は、直接、案内翼３４ｃ上に落下する。いずれにしても、遊技球が案内翼３４ｃ上に落下させることができ、遊技球を上皿通路３４に案内することができる。上皿通路３４に案内された遊技球は上皿通路３４を流下し、上皿出口３４ａと穴１４ｂを経由して上皿１４に貯留される。上皿１４に貯留された遊技球は発射機構１６ａによって遊技領域に発射される。従って、前面通路３０を流通した遊技球を遊技に使用することが可能となる。また、落下部３２における案内翼３４ｃよりも上流にて導入部３３を形成しているため、球貸し機４０から排出された遊技球も同様に遊技に使用することができる。
【００９０】
図２４は、上皿１４において貯留された遊技球が満杯となる状態を示している。同図において、満杯状態となった遊技球が上皿通路３４や案内翼３４ｃ上にも滞留している。この状態において、案内翼３４ｃ上に遊技球が落下すると、案内翼３４ｃ上に滞留した遊技球に、落下した遊技球が衝突し跳ね返されることとなる。跳ね返された遊技球は案内翼３４ｃから落下し、さらに落下部３２の内部を下方に落下することとなる。そして、案内翼３４ｃから落下した遊技球は、最終的に下皿通路３５を経由して下皿１５に放出される。かかる構成により、上皿１４に貯留された遊技球が満杯状態のときのみ遊技球を下皿１５に排出することが可能となっている。なお、下皿通路３５は本体部に形成された下皿１５に遊技球を前面側から案内する帰還部に相当する。
【００９１】
（２）第二の実施形態：
図２５は、第二の実施形態にかかるパチンコ遊技機１１０を斜めから見て示している。同図において、前面通路１３０はガラス枠１１３の下端にて終端している。また、前面通路１３０は前方に突出するようにガラス枠１１３に取り付けられており、半円弧状に湾曲するアーチ状に形成されている。前面通路１３０は高さ方向中央部が最も前面側に突出しており、上下端がそれぞれガラス枠１１３と接続している。かかる構成においても、前面通路１３０がガラス枠１１３から前方に浮いた状態となるため、前面通路１３０とガラス枠１１３との間に隙間Ｓを形成することができる。また、前面通路１３０をアーチ状に形成することにより、パチンコ遊技機１１０の趣向性を向上させることができる。前面通路１３０には図示しない模様が形成されており、パチンコ遊技機１１０に立体的な装飾を付加することが可能となっている。
【００９２】
図２６は、本体枠１１２を斜めから見て示している。同図において、遊技領域１２５を前面側に開放するようにガラス枠１１３が回動させられている。破線で示す前面通路１３０はガラス枠１１３に取り付けられており、ガラス枠１１３とともに回動することが可能となっている。このように、前面通路１３０はガラス枠２１３とともに回動されるため、遊技領域１２５のメンテナンスの際に前面通路１３０が邪魔となることはない。前面通路１３０の下端を下方に開口させることにより出口１３３が形成されている。
【００９３】
遊技領域１２５が前面側から閉鎖されるようにガラス枠１１３を回動させたとき、出口１３３に接続可能な開口１５１が本体枠１１２に穿設されている。一方、上皿１１４の内部に遊技球を排出可能な上皿出口１５２が設けられており、開口１５１と上皿出口１５２とを連通させる案内通路１５０が上皿１１４の裏側に埋設されている。従って、前面通路１３０の出口から排出された遊技球を上皿１１４の内部に案内することができる。上皿１１４に案内された遊技球は一時的に上皿１１４に貯留され発射機構１１６ａに導かれるため、前面通路１３０を流通した遊技球を遊技に使用することが可能となる。
【００９４】
このように、案内通路１５０を上皿１１４の裏側といったパチンコ遊技機１１０の内部に埋設することにより、最短距離で遊技球を上皿１１４に案内することができるとともに、パチンコ遊技機１１０をコンパクトに形成することができる。なお、上皿１１４は本体枠１１２に対して回動可能に取り付けられる上皿扉に設けられる場合がある。この場合、本体枠１１２側に案内通路１５０を埋設してもよいし、上皿扉側に案内通路１５０を埋設するようにしてもよい。さらに、上皿扉がガラス枠１１３と一体的に形成される場合には、ガラス枠１１３に埋設された前面通路１３０をそのまま下方に延設して、同案内通路１３０の下端を上皿１１４まで到達させるようにしてもよい。
【００９５】
さらに、本体枠１１２の内部にはオーバーフロー通路１５３が埋設されており、オーバーフロー通路１５３は上皿出口１５２の直前にて案内通路１５０から分岐させられている。オーバーフロー通路１５３の終端には下皿出口１５４が形成されており、オーバーフロー通路１５３を流通する遊技球を下皿１１５に排出することが可能となっている。案内通路１５０を流通する遊技球は原則的に上皿出口１５２に案内されるが、上皿出口１５２の付近に遊技球が充填されている場合には、上皿出口１５２に遊技球が流下することが充填された遊技球によって妨げられる。そして、行き場を失った遊技球がオーバーフロー通路１５３に流れ込むことが可能となっている。すなわち、上皿１１４に貯留された遊技球が満杯状態のときのみ遊技球を下皿１１５に排出することが可能となっている。
【００９６】
図２７はパチンコ遊技機１１０を前面側から見て示している。同図において、パチンコ遊技機１１０の左側に隣接して球貸し機１４０が設置されている。球貸し機１４０は前実施形態と同様に略矩形箱状の筐体１４１の側面をパチンコ遊技機１１０の外枠１１１に接触させるように設置されており、前面側に排出部１４２を有している。筐体１４１の前面と本体枠１１２の前面とがほぼ同一面上に位置するように、パチンコ遊技機１１０と球貸し機１４０とが配置されている。排出部１４２の構成は前実施形態と同様であるため説明を省略する。なお、排出部１４２が形成される高さをＨ２とし、前面通路１３０におけるガラス枠１１３から最も離反する中央部の高さをＨ１というものとする。
【００９７】
図２８は、ガラス枠１１３を本体枠１１２に対して回動可能に連結するヒンジ、および、本体枠１１２を外枠１１１に対して回動可能に連結するヒンジを斜めから見て示している。同図において、説明のためガラス枠１１３は破線により示している。ガラス枠１１３の背面側には軸方向を鉛直に配向させた窓枠用回動軸１１３ｇが備えられ、同窓枠用回動軸１１３ｇが本体枠１１２から前面側に突設された軸受け１１２ｂにて軸受けされている。なお、図示しないが本体枠１１２とガラス枠１１３の下部にも両者を回動可能に連結するヒンジが備えられ、このヒンジにおける回動軸と窓枠用回動軸１１３ｇは同一の鉛直直線上に配置されている。このようにすることにより、ガラス枠１１３を窓枠用回動軸１１３ｇまわりに回動させることが可能となる。
【００９８】
一方、本体枠１１２を外枠１１１に対して回動可能に連結するヒンジは本体枠１１２に取り付けられた本体枠用回動軸１１２ｃと、外枠１１１に取り付けられ同回動軸１１２ｃが鉛直方向に挿通する軸受け１１１ａとから構成されている。図示しないが本体枠１１２を外枠１１１の下部にも両者を回動可能に連結するヒンジが備えられ、このヒンジにおける回動軸と本体枠用回動軸１１２ｃは同一の鉛直直線上に配置されている。このようにすることにより、本体枠１１２を本体枠用回動軸１１２ｃまわりに回動させることが可能となる。そして、本体枠用回動軸１１２ｃと窓枠用回動軸１１３ｇの軸位置が一致するように形成されている。
【００９９】
このようにすることにより、本体枠１１２を外枠１１１に対して回動させる際に付随的に回動するガラス枠１１３の軌道と、本体枠１１２に対して単独で回動させる際のガラス枠１１３の軌道とを一致させることができる。従って、前者の場合も、後者の場合もガラス枠１１３に取り付けられた前面通路１３０は同じ軌道をたどることとなる。従って、前者の回動の際に前面通路１３０に干渉しないような周辺部位の設計を行っておけば、後者の回動においても干渉を起こさないようにすることができる。同様に、後者の回動の際に前面通路１３０に干渉しないような周辺部位の設計を行っておけば、前者の回動においても干渉を起こさないようにすることができる。
【０１００】
図２９は、ガラス枠１１３を本体枠１１２に対して回動させたとき、および、本体枠１１２を外枠１１１に対して回動させたときに前面通路１３０と排出部１４２とが干渉しない条件を模式的に説明している。同図において、パチンコ遊技機１１０と球貸し機１４０が上方から見て示されており、要部が簡略化された図形によって示しされている。本体枠用回動軸１１２ｃおよび窓枠用回動軸１１３ｇの位置は一致している。
【０１０１】
本体枠１１２およびガラス枠１１３をそれぞれ回動させたときには、それぞれ本体枠用回動軸１１２ｃおよび窓枠用回動軸１１３ｇまわりの回動が行われることとなる。従って、本体枠用回動軸１１２ｃおよび窓枠用回動軸１１３ｇを中心とした同一円周上において前面通路１３０が移動することとなる。同図においては、前面通路１３０の中央部の高さＨ１における前面通路１３０の概略断面と、排出部１４２と同じ高さＨ２における前面通路１３０の概略断面とを示している。本体枠用回動軸１１２ｃおよび窓枠用回動軸１１３ｇはそれぞれ鉛直の軸方向を有しているため、前面通路１３０は水平軌道を移動することとなる。従って、排出部１４２と高さが異なれば、排出部１４２と干渉することはない。
【０１０２】
すなわち、少なくとも排出部１４２と同じ高さの高さＨ２における前面通路１３０の概略断面に対する本体枠用回動軸１１２ｃおよび窓枠用回動軸１１３ｇからの最短距離が、排出部１４２に対する本体枠用回動軸１１２ｃおよび窓枠用回動軸１１３ｇからの最長距離よりも長ければ、排出部１４２と前面通路１３０が干渉することはない。ここで、本体枠用回動軸１１２ｃおよび窓枠用回動軸１１３ｇは同一の位置であるため、それぞれ個別に最長距離および最短距離を検討する必要がない。従って、設計を容易に行うことができる。
【０１０３】
図３０は、ガラス枠１１３から取り外された状態の前面通路１３０を斜めから見て示している。同図において、第一の通路部材１３０Ａおよび第二の通路部材１３０Ｂはそれぞれ略矩形樋状に形成されており、互いに向かい合わせることにより矩形筒状の前面通路１３０が形成される。第一の通路部材１３０Ａは前面通路１３０の前面側半分を構成している。ただし、第一の通路部材１３０Ａが下方にて終端しており、同終端した部位から下方においては第二の通路部材１３０Ｂが矩形筒状に形成されている。
【０１０４】
上下一対のスライドレールによって第一の通路部材１３０Ａと第二の通路部材１３０Ｂはスライド可能に連結されている。スライドレールは第一の通路部材１３０Ａから背面側の第二の通路部材１３０Ｂに向かって突設された略棒状のレール部１３０Ａ２と、第二の通路部材１３０Ｂにおいてレール部１３０Ａ２を内部に挿通させるガイド部１３０Ｂ１とから構成されている。なお、図示されない紙面奥側の面にも上下一対のスライドレールが取り付けられている。
【０１０５】
図３１は、第二の通路部材１３０Ｂに対して第一の通路部材１３０Ａが前面側にスライドした状態を示している。同図において、第二の通路部材１３０Ｂに向かって突設された略棒状のレール部１３０Ａ２，１３０Ａ２はそれぞれ第二の通路部材１３０Ｂのガイド部１３０Ｂ１，１３０Ｂ１に浅く挿し込まれており、その挿入量の減少に応じて第一の通路部材１３０Ａが前面側に移動している。なお、レール部１３０Ａ２，１３０Ａ２の軸方向は前後方向に配向しているため、第一の通路部材１３０Ａは前後方向にスライドすることができる。また、第一の通路部材１３０Ａをさらに前方にスライドさせると、ガイド部１３０Ｂ１，１３０Ｂ１からレール部１３０Ａ２，１３０Ａ２が抜け、第一の通路部材１３０Ａを第二の通路部材１３０Ｂから取り外すことができる。
【０１０６】
第一の通路部材１３０Ａの上方端部には、先端に上方に向かって突出する爪を備える係合爪１３０Ａ１が設けられている。一方、第二の通路部材１３０Ｂの上方端部にはネジ穴１３０Ｂ２が穿設されている。また、ネジ穴１３０Ｂ２には皿ネジの頭部が嵌り込むザグリが設けられている。図３２は、ガラス枠通路および前面通路１３０の断面を見て示している。同図において、第一の通路部材１３０Ａと第二の通路部材１３０Ｂとが合体して形成された前面通路１３０の上端がガラス枠１１３を前後に貫通するガラス枠通路１１３ｂに前面側から挿し込まれている。ガラス枠通路１１３ｂは前面通路１３０の外形よりもわずかに大きい矩形状に形成されており、上面に凹部１１３ｂ１が形成され、下面にネジ止め穴１１３ｂ２が穿設されている。
【０１０７】
前面通路１３０の端部がガラス枠１１３の背面側に略密着している本体枠１１２に当接するまで前面通路１３０をガラス枠通路１１３ｂに挿し込むと、凹部１１３ｂ１に係合爪１３０Ａ１が係合し、ネジ穴１３０Ｂ２とネジ止め穴１１３ｂ２の位置が相互に一致する。そして、ネジ穴１３０Ｂ２およびネジ止め穴１１３ｂ２に対して皿ネジ１３９が螺合される。このようにすることにより、前面通路１３０における第一の通路部材１３０Ａおよび第二の通路部材１３０Ｂをガラス枠１１３に対して固定することができる。このとき、本体枠通路１１２ａと前面通路１３０とが接続するため、パチンコ遊技機１１０の背面側にて払い出された遊技球を前面通路１３０に案内することができる。
【０１０８】
ところで、遊技領域１２５が前面側に開放するようにガラス枠１１３が回動すると、ガラス枠１１３に本体枠１１２が略密着しなくなる。従って、この状態において係合爪１３０Ａ１を指で押し下げて係合爪１３０Ａ１と凹部１１３ｂ１の係合を解除することができる。従って、第一の通路部材１３０Ａの固定が解除され、第一の通路部材１３０Ａを前面側にスライドさせることが可能となる。さらには、第一の通路部材１３０Ａを第二の通路部材１３０Ｂから取り外すことも可能となる。これにより前面通路１３０の内部を外部に開放することができ、前面通路１３０の清掃を容易に行うことができる。すなわち、本実施形態においても、ガラス枠１１３の回動が可能な者に限り、前面通路１３０の開放が可能となっている。
【０１０９】
（３）第三の実施形態：
図３３は、第三の実施形態にかかる前面通路の断面を示している。同図において、前面通路２３０は略円筒状に形成され、それぞれ略半円筒状に形成された第一の通路部材２３０Ａと第二の通路部材２３０Ｂとによって構成されている。本実施形態においては、第一の実施形態と同様に第一の通路部材２３０Ａと第二の通路部材２３０Ｂとが回動可能に連結されている。ただし、両者を連結する通路ヒンジ２３６は前面通路２３０の内部に備えられており、前面通路２３０の外部に露出されていない。従って、前面通路２３０に対して不正が加えられることが防止できるとともに、通路ヒンジ２３６が目立ちにくくなるため美観を向上させることができる。
【０１１０】
一方、第一の通路部材２３０Ａと第二の通路部材２３０Ｂの回動自由端は互いに嵌合している。第一の通路部材２３０Ａの回動自由端に断面コの字状の嵌合構造２３０Ａ３を設け、この間に第二の通路部材２３０Ｂの回動自由端が挟み込まれるように形成している。このようにすることにより、前面通路２３０の密閉性を向上させることができる。特に、第一の通路部材２３０Ａと第二の通路部材２３０Ｂの回動自由端に形成される隙間を複雑な形状とすることができるため、前面通路２３０の内部に異物が侵入されることが防止できる。
【０１１１】
図３４は、第一の通路部材２３０Ａと第二の通路部材２３０Ｂとを回動させ、前面通路２３０の内部を外側に開放させた状態を示している。同図において、通路ヒンジ２３６は第二の通路部材２３０Ｂからアーム状に突設された支軸部２３６ｂと、第一の通路部材２３０Ａから突設された略板状の軸受け部２３６ａとから構成されている。支軸部２３６ｂの先端には、上方に突出し、上方端部にて終端する支軸２３６ｂ１が形成されており、同支軸２３６ｂ１は軸受け部２３６ａの軸穴２３６ａ１に下方から挿通している。第一の通路部材２３０Ａは自重を支軸部２３６ｂに預けることにより、支軸２３６ｂ１と軸穴２３６ａ１との軸受け状態が維持されている。
【０１１２】
かかる構成によれば、自重に抗して第一の通路部材２３０Ａを持ち上げることにより、支軸２３６ｂ１と軸穴２３６ａ１との軸受け状態を解除することができる。すなわち、通路ヒンジ２３６による第一の通路部材２３０Ａと第二の通路部材２３０Ｂとの連結を解除することができる。これにより、前面通路２３０を第一の通路部材２３０Ａと第二の通路部材２３０Ｂとに分解して清掃を行うことができる。従って、より簡単に前面通路２３０の内部の清掃を行うことができる。なお、支軸部２３６ｂをアーム状に形成することにより、回動させたときに第一の通路部材２３０Ａと第二の通路部材２３０Ｂとが干渉しない位置に回動軸がずらされている。また、内部の通路ヒンジ２３６が遊技球の流通に支障を来さないように、通路ヒンジ２３６を流線形の保護カバーによって覆うようにしてもよい。
【０１１３】
（４）第四の実施形態：
図３５は、第四の実施形態にかかるパチンコ遊技機３１０を斜めから見て示している。同図において、前面通路３３０は第一の実施形態とほぼ同様に形成されているが、略円形状の遊技領域３２５の高さ方向中央よりも低い位置から下方に向かって形成されている点で相違している。前面通路３３０は第一の実施形態と同様に延設部３３１と落下部３３２とを有している。ただし、第一の通路部材３３０Ａは落下部３３２の前面側部分を構成するのみであり、上方部分が延設部３３１まで延設されていない。従って、第二の通路部材３３０Ｂのみがガラス枠３１３に固定されており、第一の通路部材３３０Ａをガラス枠３１３に拘束されることなく回動することが可能となっている。
【０１１４】
すなわち、第一の通路部材３３０Ａを回動させるにあたり、予め施錠機構３１３ｃを解除して、ガラス枠３１３の背面側を開放させておく必要はない。第一の通路部材３３０Ａと第二の通路部材３３０Ｂの自由端を相互に固定する係合機構３３９が設けられており、前面側から係合機構３３９を解除すれば、第一の通路部材３３０Ａを回動させることができる。このように、前面通路３３０を低い位置に形成しておくことにより、パチンコ遊技機３１０の上部に備えられるタンクや払い出し装置と、前面通路３３０とを上下に離して配置することができる。
【０１１５】
従って、前面側の遊技者によって簡単に前面通路３３０を開放されたとしても、前面通路３３０の内部から払い出し装置に不正が加えられたり、タンクから遊技球が抜き取られたりすることはない。従って、第一の通路部材３３０Ａと第二の通路部材３３０Ｂの固定機構を簡易なものとすることができるし、清掃も容易に行うことができる。また、前面通路３３０を流下する遊技球は遊技者が正規に獲得した遊技球であるため、仮に前面通路３３０を開放させて遊技者が遊技球を取り出したとしても、ホールの損失とはならない。
【０１１６】
（５）第五の実施形態：
図３６は、第五の実施形態にかかる前面通路４３０を斜めから見て示している。前面通路４３０は第一の実施形態とほぼ同様の構成とされているが、上方部分の表面が黒く塗りつぶされており、内部が視認不能となっている。このように、前面通路４３０には内部が視認不能な部分を設けてもよい。前面通路４３０において内部が視認不能な部位については、いくら内部に汚れが付着しても前面通路４３０の見栄えを悪くさせることはない。従って、本実施形態の前面通路４３０においては内部が視認可能な下方部分のみを開放可能に形成している。すなわち、第二の通路部材４３０Ｂに対して回動可能に連結される第一の通路部材４３０Ａを高さ方向中央部にて終端させることにより、下方部分のみを開放可能にしている。
【０１１７】
本実施形態においても、前面通路４３０において開放される部位はパチンコ遊技機の上部に備えられるタンクや払い出し装置等から下方に離れた位置となるため、前面通路３３０の内部から払い出し装置に不正が加えられたり、タンクから遊技球が抜き取られたりすることはない。従って、前実施形態と同様に第一の通路部材４３０Ａと第二の通路部材４３０Ｂの自由端を相互に固定する機構を簡易化させることができる。
【０１１８】
（６）第六の実施形態：
図３７は、第六の実施形態にかかるガラス枠５１３を斜めから見て示している。同図において、同図において、窓穴５１３ｄの左側に切り欠き５１３ｆが軸方向を上下方向に配向させた溝状となるように形成され、同切り欠き５１３ｆの内部に前面通路５３０が埋設されている。図３８は、ガラス枠５１３における切り欠き５１３ｆを下方から見て示している。同図においては、ガラス枠５１３の切り欠き５１３ｆに前面通路５３０が埋設される様子を示している。前面通路５３０を構成する第一の通路部材５３０Ａが断面略コの字状に形成されており、第一の通路部材５３０Ａの両端にはそれぞれ係合爪５３０Ａ１，５３０Ａ１が延設されている。第一の通路部材５３０Ａは切り欠き５１３ｆよりわずかに小さい外形とされており、第一の通路部材５３０Ａを切り欠き５１３ｆに嵌め込むことが可能となっている。
【０１１９】
図３９は、第一の通路部材５３０Ａを切り欠き５１３ｆに嵌め込んだ状態を示している。同図において、切り欠き５１３ｆの底面に形成された一対の係合穴５３０Ｂ１，５３０Ｂ１にそれぞれ係合爪５３０Ａ１，５３０Ａ１が貫通し係合している。このようにすることにより、第一の通路部材５３０Ａを切り欠き５１３ｆに対して固定することができる。また、第一の通路部材５３０Ａと切り欠き５１３ｆの底面とで、ガラス枠５１３に密着した略矩形筒状の前面通路５３０を形成することができる。一方、ガラス枠５１３の背面側に手を入れて係合爪５３０Ａ１，５３０Ａ１をそれぞれ内側に撓ませることにより、係合爪５３０Ａ１，５３０Ａ１の係合穴５３０Ｂ１，５３０Ｂ１に対する係合を解除し、第一の通路部材５３０Ａを切り欠き５１３ｆから取り外すことができる。
【０１２０】
すなわち、前面通路５３０の内部を開放し、前面通路５３０の内部の清掃を容易に行うことができる。なお、本実施形態において、切り欠き５１３ｆの底面が第二の通路部材５３０Ｂに相当する。また、本実施形態において前面通路５３０を開放させるにあたり、ガラス枠５１３の背面側に手を入れて係合爪５３０Ａ１，５３０Ａ１をそれぞれ内側に撓ませる必要がある。すなわち、前面通路５３０を開放させるには予めガラス枠５１３を回動させる必要があるため、不正を防止することが可能となっている。
【０１２１】
（７）第七の実施形態：
図４０は、第五の実施形態にかかる遊技機としてのパチロットを斜めから見て示している。パチロット６１０は、スロットマシンにおけるメダルの代わりに遊技球を利用するものであり、例えば、パチンコ球の５個がメダル１個に相当して遊技を楽しむことができる。パチロット６１０は、スロットマシンと同様に回転するドラム６１４ａを備える遊技領域６１４を有している。このようなパチロット６１０においても遊技媒体として遊技球が使用されるため、遊技状態に応じた遊技球が払い出されることとなる。従って、パチロット６１０の前面側に前面通路６３０を突設することができ、それにより、パチロット６１０の背面側のスペースを広く確保することができる。また、隙間Ｓも形成することができる。
【０１２２】
なお、図６１に示すように、パチロット６１０も外枠６１１と本体枠６１２とを有し、本体枠６１２の前面側にはドラム６１４ａが保持された遊技領域６１４が形成される。本体枠６１２の背面側には遊技球の供給を受けるタンク６１８が設けられている。本体枠６１２には前後に貫通する連絡通路Ａが形成されており、同連絡通路Ａを介してタンク６１８に貯留された遊技球が本体枠６１２の前面側に案内される。本体枠６１２の前面側には操作レバーや操作ボタンが形成された窓枠６１３が取り付けられる。窓枠６１３は本体枠６１２に対して左側の辺を回動軸として回動可能に取り付けられる。窓枠６１３と本体枠６１２とが略平行となるように、窓枠６１３を回動させたとき、窓枠６１３の背面側と本体枠６１２の前面側とが略密着する。
【０１２３】
このとき、窓枠６１３の略中央部に形成された矩形状の窓穴６１３ｄからはドラム６１４ａが保持された遊技領域６１４が視認可能となる。また、このとき窓枠６１３に取り付けられた前面通路６３０と連絡通路Ａとが接続し、タンク６１８に貯留された遊技球を前面通路６３０に案内することができる。なお、窓枠６１３をガラス等の透明板によって塞ぐことによりパチロット６１０の遊技領域６１４を閉鎖させてもよいし、本実施形態のように遊技領域６１４を開放させておいてもよい。
【０１２４】
（８）まとめ：
以上説明したように本発明によれば、パチンコ遊技機１０の前面側に前面通路３０を配設することにより、払い出し通路をパチンコ遊技機１０の背面側に形成しないようにすることができる。これにより、パチンコ遊技機１０の背面側のスペースを広く確保することができ、より多くの機構部材をパチンコ遊技機１０の背面側に配設することが可能となる。さらに、前面通路３０を相対移動が可能な第一の通路部材３０Ａと第二の通路部材３０Ａとによって形成することにより、前面通路３０を開放させて、前面通路３０の内部の清掃を容易に行うことができる。
【図面の簡単な説明】
【０１２５】
【図１】第一の実施形態にかかるパチンコ遊技機の斜視図である。
【図２】第一の実施形態にかかるパチンコ遊技機の側面図である。
【図３】第一の実施形態にかかるパチンコ遊技機の背面図である。
【図４】第一の実施形態にかかる連絡通路の断面図である。
【図５】第一の実施形態にかかるパチンコ遊技機の正面図である。
【図６】第一の実施形態にかかるパチンコ遊技機の平面図である。
【図７】第一の実施形態にかかる球貸し機の要部拡大図である。
【図８】第一の実施形態にかかる球貸し機の要部拡大図である。
【図９】第一の実施形態にかかる導入部の斜視図である。
【図１０】第一の実施形態にかかるパチンコ遊技機の平面図である。
【図１１】第一の実施形態にかかるパチンコ遊技機の平面図である。
【図１２】第一の実施形態にかかるヒンジの斜視図である。
【図１３】第一の実施形態にかかるパチンコ遊技機の平面図である。
【図１４】第一の実施形態における回動を説明する模式図である。
【図１５】第一の実施形態にかかる前面通路の斜視図である。
【図１６】第一の実施形態にかかる前面通路の平面図である。
【図１７】第一の実施形態にかかる前面通路の平面図である。
【図１８】第一の実施形態にかかる前面通路の端部の斜視図である。
【図１９】第一の実施形態にかかるガラス枠上部の斜視図である。
【図２０】第一の実施形態にかかる前面通路の断面図である。
【図２１】第一の実施形態にかかる前面通路の断面図である。
【図２２】第一の実施形態にかかる前面通路の断面図である。
【図２３】第一の実施形態にかかる前面通路および上皿通路の断面図である。
【図２４】第一の実施形態にかかる前面通路および上皿通路の断面図である。
【図２５】第二の実施形態にかかるパチンコ遊技機の斜視図である。
【図２６】第二の実施形態にかかる本体枠の斜視図である。
【図２７】第二の実施形態にかかるパチンコ遊技機の正面図である。
【図２８】第二の実施形態にかかるヒンジの斜視図である。
【図２９】第二の実施形態にかかる回動を説明する模式図である。
【図３０】第二の実施形態にかかる前面通路の斜視図である。
【図３１】第二の実施形態にかかる前面通路の斜視図である。
【図３２】第二の実施形態にかかる前面通路の断面図である。
【図３３】第三の実施形態にかかる前面通路の断面図である。
【図３４】第三の実施形態にかかる前面通路の断面図である。
【図３５】第四の実施形態にかかるパチンコ遊技機の斜視図である。
【図３６】第五の実施形態にかかる前面通路の斜視図である。
【図３７】第六の実施形態にかかるガラス枠の斜視図である。
【図３８】第六の実施形態にかかるガラス枠の底面図である。
【図３９】第六の実施形態にかかるガラス枠の底面図である。
【図４０】第七の実施形態にかかるパチロットの斜視図である。
【図４１】第七の実施形態にかかるパチロットの分解斜視図である。
【符号の説明】
【０１２６】
１０，１１０…パチンコ遊技機
１１，１１１…外枠
１２，１１２…本体枠
１２ｃ，１１２ｃ…本体枠用回動軸
１３，１１３…ガラス枠
１３ｇ，１１３ｇ…窓枠用回動軸
１４，１１４…上皿
１５…下皿
１６発射ハンドル
１７…機構板
１８…タンク
１９…払い出し装置
２４…遊技盤
２５，１２５…遊技領域
３０，１３０，２３０…前面通路
３０Ａ，３０Ｂ，１３０Ａ，１３０Ｂ…通路部材
３１…延設部
３２…落下部
４０，１４０…球貸し機
４１…筐体
４２，１４２…排出部
４３…ベース部
４４…連結部
４５…排出通路
６１０…パチロット
Ａ…連絡通路
Ｒ１，Ｒ２…円周軌道
Ｓ…隙間
【図１】
2006087567.tif 000003
【図２】
2006087567.tif 000004
【図３】
2006087567.tif 000005
【図４】
2006087567.tif 000006
【図５】
2006087567.tif 000007
【図６】
2006087567.tif 000008
【図７】
2006087567.tif 000009
【図８】
2006087567.tif 000010
【図９】
2006087567.tif 000011
【図１０】
2006087567.tif 000012
【図１１】
2006087567.tif 000013
【図１２】
2006087567.tif 000014
【図１３】
2006087567.tif 000015
【図１４】
2006087567.tif 000016
【図１５】
2006087567.tif 000017
【図１６】
2006087567.tif 000018
【図１７】
2006087567.tif 000019
【図１８】
2006087567.tif 000020
【図１９】
2006087567.tif 000021
【図２０】
2006087567.tif 000022
【図２１】
2006087567.tif 000023
【図２２】
2006087567.tif 000024
【図２３】
2006087567.tif 000025
【図２４】
2006087567.tif 000026
【図２５】
2006087567.tif 000027
【図２６】
2006087567.tif 000028
【図２７】
2006087567.tif 000029
【図２８】
2006087567.tif 000030
【図２９】
2006087567.tif 000031
【図３０】
2006087567.tif 000032
【図３１】
2006087567.tif 000033
【図３２】
2006087567.tif 000034
【図３３】
2006087567.tif 000035
【図３４】
2006087567.tif 000036
【図３５】
2006087567.tif 000037
【図３６】
2006087567.tif 000038
【図３７】
2006087567.tif 000039
【図３８】
2006087567.tif 000040
【図３９】
2006087567.tif 000041
【図４０】
2006087567.tif 000042
【図４１】
2006087567.tif 000043